(57)【特許請求の範囲】
【請求項１】
遊技領域に遊技球を誘導する誘導通路に回動可能に配置され、前記遊技球が前記誘導通路から前記遊技領域に導出されるときに、前記遊技球が前記遊技領域から前記誘導通路に侵入することを防止する戻り防止位置から前記遊技球を導出可能な導出位置に回動する戻り防止弁と、前記戻り防止弁が前記戻り防止位置から回動したことに応じてパルス信号を出力する検出部とを有する検出センサから前記パルス信号が入力されるインタフェース回路であって、
出力禁止信号が入力されていないときに前記検出センサから前記インタフェース回路に前記パルス信号が入力されたことに応じて、前記遊技領域に前記遊技球が導出されたことを示す導出信号を出力する導出信号出力回路と、
前記検出センサから前記パルス信号が入力され、前記導出信号が出力されてから禁止時間が経過するまで、前記出力禁止信号を前記導出信号出力回路に出力する出力禁止回路と、
を有することを特徴とするインタフェース回路。
【請求項２】
前記出力禁止回路は、
前記インタフェース回路に前記パルス信号が入力されてから、前記出力禁止信号の出力を停止することを示す禁止解除指示信号が入力されるまで、前記出力禁止信号を出力し、前記出力禁止信号を出力していないときに前記パルス信号が入力されたときに前記禁止時間の計時開始を指示することを示す計時開始信号を出力する禁止状態保持回路と、
前記計時開始信号が入力されてから前記禁止時間が経過したときに、前記禁止解除指示信号を出力する禁止解除指示回路と、を有する、請求項１に記載のインタフェース回路。
【請求項３】
前記禁止解除指示回路は、
第１遅延容量素子と、
前記第１遅延容量素子に接続された第１遅延抵抗素子と、
前記計時開始信号が入力されたことに応じて、前記第１遅延容量素子及び前記第１遅延抵抗素子への電流の供給を開始する第１遅延スイッチング素子と、
前記第１遅延スイッチング素子が電流を供給することにより電圧が上昇する前記第１遅延容量素子の端子の電圧と第１しきい値とを比較し、前記第１遅延容量素子の一端の電圧が第１しきい値より大きくなったときに、前記禁止解除指示信号を出力する第１遅延コンパレータと、を有する、請求項２に記載のインタフェース回路。
【請求項４】
遊技領域に遊技球を誘導する誘導通路に回動可能に配置され、前記遊技球が前記誘導通路から前記遊技領域に導出されるときに、前記遊技球が前記遊技領域から前記誘導通路に侵入することを防止する戻り防止位置から前記遊技球を導出可能な導出位置に回動する戻り防止弁と、前記戻り防止弁が前記戻り防止位置から回動したことに応じてパルス信号を出力する検出部とを有する検出センサと、
前記検出センサから前記パルス信号が入力されるインタフェース回路と、を有し、
前記インタフェース回路は、
出力禁止信号が入力されていないときに前記検出センサから前記インタフェース回路に前記パルス信号が入力されたことに応じて、前記遊技領域に前記遊技球が導出されたことを示す導出信号を出力する導出信号出力回路と、
前記検出センサから前記パルス信号が入力され、前記導出信号が出力されてから禁止時間が経過するまで、前記出力禁止信号を前記導出信号出力回路に出力する出力禁止回路と、
を有することを特徴とする検出装置。
【請求項５】
遊技球を遊技領域に誘導する誘導通路と、
前記誘導通路に回動可能に配置され、前記遊技球が前記誘導通路から前記遊技領域に導出されるときに、前記遊技球が前記遊技領域から前記誘導通路に侵入することを防止する戻り防止位置から前記遊技球を導出可能な導出位置に回動する戻り防止弁と、前記戻り防止弁が前記戻り防止位置から回動したことに応じてパルス信号を出力する検出部とを有する検出センサと、
前記検出センサから前記パルス信号が入力されるインタフェース回路と、を有し、
前記インタフェース回路は、
出力禁止信号が入力されていないときに前記検出センサから前記インタフェース回路に前記パルス信号が入力されたことに応じて、前記遊技領域に前記遊技球が導出されたことを示す導出信号を出力する導出信号出力回路と、
前記検出センサから前記パルス信号が入力され、前記導出信号が出力されてから禁止時間が経過するまで、前記出力禁止信号を前記導出信号出力回路に出力する出力禁止回路と、
を有することを特徴とする遊技機。
【発明の詳細な説明】
【技術分野】
【０００１】
本発明は、検出センサのインタフェース回路、そのようなインタフェース回路と検出センサとを含む検出装置及びそのような検出装置を利用する遊技機に関する。
【背景技術】
【０００２】
遊技機において、発射制御装置から発射され、誘導通路から遊技領域に導出された遊技球の数を、検出センサを使用して計数するカウント装置が知られている（例えば、特許文献１を参照）。特許文献１に記載の検出センサは、遊技球を遊技領域へと誘導する誘導通路の先端に配置される戻り防止弁と、戻り防止弁の回動動作に応じてパルス信号を出力する検出部とを有する。戻り防止弁は、遊技球が導出されていないときに誘導通路の出口を塞ぐ戻り防止位置に位置する。遊技球が誘導通路から遊技領域に向かって進行し、戻り防止弁に当接して遊技領域に導出されるときに、戻り防止弁は、遊技球を遊技領域に導出するために導出位置に回動する。戻り防止弁は、遊技球が遊技領域に導出されると、戻り防止位置に回動して遊技球が誘導通路に戻ることを防止する。検出部は、戻り防止弁が戻り防止位置から導出位置の方向に回動したことに応じて、パルス信号を出力する。特許文献１に記載のカウンタ装置は、検出センサから出力されたパルス信号を受信した回数に応じて遊技領域に導出された遊技球の数を決定する。
【先行技術文献】
【特許文献】
【０００３】
【特許文献１】特開平１０−２１６３０４号公報
【発明の概要】
【発明が解決しようとする課題】
【０００４】
しかしながら、このような検出センサでは、遊技球が遊技領域に導出された後に、遊技球が戻り防止弁に当接したときの反動で、戻り防止弁が戻り防止位置と導出位置との間で振動する場合がある。遊技球が戻り防止弁に当接したときの反動で戻り防止弁が振動すると、検出センサは、１つの遊技球が遊技領域に導出されたときに複数のパルス信号を出力することになる。この結果、パルス信号が検出センサから入力されるカウンタ装置は、実際に遊技領域に導出された遊技球の数よりも多い数を計数するおそれがある。
【０００５】
また、このような検出センサでは、遊技領域から誘導通路の方向に戻ってきた遊技球が、戻り防止位置に回動する戻り防止弁に衝突した反動で戻り防止弁が回動することにより、検出センサがパルス信号を出力するおそれがある。この場合も、カウンタ装置は、実際に遊技領域に導出された遊技球の数よりも多い数を計数するおそれがある。
【０００６】
このように、戻り防止弁の回動を検出する検出センサを使用した場合、誘導通路から実際に遊技領域に導出された遊技球の数と、検出センサから出力されるパルス信号の数に応じてカウンタ装置が決定した遊技球の数とが相違するおそれがある。
【０００７】
そこで、本発明は、検出センサからパルス信号が入力されたときに出力する信号の数を、実際に誘導通路から遊技領域に導出された遊技球の数に一致させることが可能なインタフェース回路を提供することを目的とする。
【課題を解決するための手段】
【０００８】
上記の目的を達成するために、本発明の一つの形態に係るインタフェース回路は、遊技領域に遊技球を誘導する誘導通路に回動可能に配置され、遊技球が誘導通路から遊技領域に導出されるときに、遊技球が遊技領域から誘導通路に侵入することを防止する戻り防止位置から遊技球を導出可能な導出位置に回動する戻り防止弁と、戻り防止弁が戻り防止位置から回動したことに応じてパルス信号を出力する検出部とを有する検出センサからパルス信号が入力されるインタフェース回路であって、出力禁止信号が入力されていないときに検出センサからインタフェース回路にパルス信号が入力されたことに応じて、遊技領域に遊技球が導出されたことを示す導出信号を出力する導出信号出力回路と、検出センサからパルス信号が入力され、導出信号が出力されてから禁止時間が経過するまで、出力禁止信号を導出信号出力回路に出力する出力禁止回路とを有する。
【０００９】
また、このインタフェース回路において、出力禁止回路は、インタフェース回路にパルス信号が入力されてから、出力禁止信号の出力を停止することを示す禁止解除指示信号が入力されるまで、出力禁止信号を出力し、出力禁止信号を出力していないときにパルス信号が入力されたときに禁止時間の計時開始を指示することを示す計時開始信号を出力する禁止状態保持回路と、計時開始信号が入力されてから禁止時間が経過したときに、禁止解除指示信号を出力する禁止解除指示回路とを有することが好ましい。
【００１０】
また、このインタフェース回路において、禁止解除指示回路は、第１遅延容量素子と、第１遅延容量素子に接続された第１遅延抵抗素子と、計時開始信号が入力されたことに応じて、第１遅延容量素子及び第１遅延抵抗素子への電流の供給を開始する第１遅延スイッチング素子と、第１遅延スイッチング素子が電流を供給することにより電圧が上昇する第１遅延容量素子の端子の電圧と第１しきい値とを比較し、第１遅延容量素子の一端の電圧が第１しきい値より大きくなったときに、禁止解除指示信号を出力する第１遅延コンパレータとを有することが好ましい。
【００１１】
さらに、本発明の他の実施形態によれば、検出装置は、遊技領域に遊技球を誘導する誘導通路に回動可能に配置され、遊技球が誘導通路から遊技領域に導出されるときに、遊技球が遊技領域から誘導通路に侵入することを防止する戻り防止位置から遊技球を導出可能な導出位置に回動する戻り防止弁と、戻り防止弁が戻り防止位置から回動したことに応じてパルス信号を出力する検出部とを有する検出センサと、検出センサからパルス信号が入力されるインタフェース回路と、を有し、インタフェース回路は、出力禁止信号が入力されていないときに検出センサからインタフェース回路にパルス信号が入力されたことに応じて、遊技領域に遊技球が導出されたことを示す導出信号を出力する導出信号出力回路と、検出センサからパルス信号が入力され、導出信号が出力されてから禁止時間が経過するまで、出力禁止信号を導出信号出力回路に出力する出力禁止回路とを有する。
【００１２】
さらに、本発明の他の実施形態によれば、遊技機は、遊技球を遊技領域に誘導する誘導通路と、誘導通路に回動可能に配置され、遊技球が誘導通路から遊技領域に導出されるときに、遊技球が遊技領域から誘導通路に侵入することを防止する戻り防止位置から遊技球を導出可能な導出位置に回動する戻り防止弁と、戻り防止弁が戻り防止位置から回動したことに応じてパルス信号を出力する検出部とを有する検出センサと、検出センサからパルス信号が入力されるインタフェース回路と、を有し、インタフェース回路は、出力禁止信号が入力されていないときに検出センサからインタフェース回路にパルス信号が入力されたことに応じて、遊技領域に遊技球が導出されたことを示す導出信号を出力する導出信号出力回路と、検出センサからパルス信号が入力され、導出信号が出力されてから禁止時間が経過するまで、出力禁止信号を導出信号出力回路に出力する出力禁止回路とを有する。
【発明の効果】
【００１３】
本発明に係るインタフェース回路は、検出センサからパルス信号が入力されたときに出力する信号の数を、実際に誘導通路から遊技領域に導出された遊技球の数に一致させることが可能になるという効果を奏する。
【図面の簡単な説明】
【００１４】
【図１】第１実施形態に係るインタフェース回路を有する検出装置を備える遊技機の概略斜視図である。
【図２】（ａ）は図１に示す検出センサの正面図であり、（ｂ）は（ａ）に示す検出センサのＡ−Ａ´線に沿う断面図である。
【図３】図１に示す検出センサ検出センサの分解斜視図である。
【図４】（ａ）は遊技球が図１に示す検出センサの戻り防止弁に当接する前の状態を示す図であり、（ｂ）は遊技球が戻り防止弁に当接している状態を示す図であり、（ｃ）は遊技球が戻り防止弁に当接した後の状態を示す図である。
【図５】（ａ）は糸状材の一端が接着された遊技球を遊技領域に滞在させる態様を示す図であり、（ｂ）は（ａ）に示す態様により遊技機に生じるおそれがある態様を示す図である。
【図６】図１に示す検出センサを含む検出装置の回路ブロック図である。
【図７】図１に示す検出センサを含む検出装置のより詳細な回路ブロック図である。
【図８】図６に示す検出装置の動作を示すタイミングチャートである。
【図９】第２実施形態に係る検出装置の回路ブロック図である。
【図１０】図９に示す検出装置が有するタイマ回路の内部回路ブロック図である。
【図１１】図９に示す検出装置の動作を示すタイミングチャートである。
【図１２】第３実施形態に係る検出装置の回路ブロック図である。
【発明を実施するための形態】
【００１５】
（本発明に係るインタフェース回路の概要）
以下、本発明の実施形態によるインタフェース回路を、図を参照しつつ説明する。このインタフェース回路には、遊技球を遊技領域に誘導する誘導通路に回動可能に配置された戻り防止弁と、戻り防止弁が回動したことに応じてパルス信号を出力する検出部とを有する検出センサからパルス信号が入力される。インタフェース回路は、検出センサから遊技領域に遊技球が導出されたことを示す導出信号が出力されてから遊技球の最小の発射間隔よりも短く且つ予め規定された禁止時間が経過するまで、導出信号の出力を禁止する。また、インタフェース回路は、戻り防止弁が戻り防止位置から導出位置に回動してから予め規定された異常検出時間が経過するまでに戻り防止位置に戻らなかったときに、検出センサが異常状態であることを示す異常信号を出力する。インタフェース回路は、導出信号が出力されてから禁止時間が経過するまで導出信号の出力を禁止するため、遊技球が戻り防止弁に当接したときの反動等で検出センサから入力されるパルス信号による遊技球の誤カウントを防止できる。また、インタフェース回路は、戻り防止弁が回動してから異常検出時間が経過するまでに戻り防止位置に戻らなかったときに、異常信号を出力するので、遊技球の誤カウントを防止すると共に検出センサが異常状態であることを通知することができる。
【００１６】
（本発明に係る遊技機の構成）
図１は、第１実施形態に係るインタフェース回路を有する検出装置を備える遊技機の概略斜視図である。
【００１７】
遊技機１は、上部から中央部の大部分の領域に設けられた遊技盤２と、下部に配設された玉受け部３及び発射ハンドル４などで構成される。遊技機１では、遊技者が発射ハンドル４を回動させると、遊技機１に内蔵された発射制御装置（図示せず）が、一定の発射間隔で、その回転角に応じた発射速度で遊技球を発射する。一例では、発射制御装置が発射される遊技球の最大数は１分間当たり１００個である。すなわち、発射制御装置が発射する遊技球の最小の発射間隔は０．６秒である。発射された遊技球は、遊技盤２の側方に設けられたレールにより形成される誘導通路５に沿って上方へ移動し、誘導通路の先端に配置された検出センサ６の戻り防止弁に当接し押下して、誘導通路５の先端から遊技領域７に導出される。検出センサ６は、遊技球が戻り防止弁に押下することに応じてパルス信号を出力する。遊技領域７に導出された遊技球は、遊技領域７上に設けられた多数の障害釘と衝突しながら遊技領域７を落下する。そして、その落下する遊技球が、入賞口装置８に入ると、入賞口装置８を通過した遊技球を検出したことを示す信号が制御装置（図示せず）に出力される。入賞口装置８から信号が入力された制御装置が入賞したと判定した場合、所定個数の遊技球を、遊技盤２の背面に設置された賞球払出装置（図示せず）を通じて玉受け部３へ払い出す。さらに、遊技盤２の略中央部に配設された表示装置９は、入賞の有無などに応じて様々に変化する遊技情報を遊技者に表示する。
【００１８】
（検出センサの構成）
図２（ａ）は検出センサ６の正面図であり、図２（ｂ）は検出センサ６のＡ−Ａ´線に沿う断面図であり、図３は検出センサ６の分解斜視図である。
【００１９】
検出センサ６は、筐体１０と、センサ部１１と、戻り防止弁１２と、おもり１３と、支持軸１４と、カバー１５と、カバー固定部材１６とを有する。検出センサ６は、遊技球が誘導通路５から遊技領域７に導出されるときに、遊技球が戻り防止弁１２に当接して戻り防止弁１２を押下することに応じて、遊技球が誘導通路から遊技領域に導出されたことを示すパルス信号を出力する。
【００２０】
筐体１０には、センサ部１１が収納される中空部１０１と、一対の取付け穴１０２と、支持軸１４が貫通する筐体支持軸穴１０３と、一例ではネジであるカバー固定部材１６が螺合されることによりカバー１５を固定するカバー固定穴１０４とが形成される。筐体１０は、遊技盤２に筐体固定部材１７が挿入され一対の取付け穴１０２のそれぞれにネジで螺合されることにより、遊技盤２に固定される。
【００２１】
センサ部１１は、基板１１１と、発光素子１１２と、受光素子１１３と、コネクタ１１４とを有する。基板１１１は、発光素子１１２、受光素子１１３及びコネクタ１１４を搭載し、発光素子１１２及び受光素子１１３とコネクタ１１４との間を電気的に接続する。発光素子１１２は、一例ではＬＥＤである。受光素子１１３は、発光素子１１２が発光した光を受光したときに電流を出力するフォトダイオードと、フォトダイオードから出力された電流を電圧に変換する抵抗素子を有する。コネクタ１１４は、受光素子１１３に電流を供給すると共に、受光素子１１３から出力される電圧を外部装置に供給する。
【００２２】
戻り防止弁１２は、遊技球が当接する当接部１２１と、当接部１２１を回動するために支持軸１４が貫通する弁支持軸穴１２２が形成された回動部１２３と、遮光部１２４と、おもり１３が嵌合されるおもり穴１２５が形成されたおもり部１２６とを有する。当接部１２１は、湾曲した平板形状であり、遊技球が当接したときに、回動部１２３に挿入される支持軸１４を軸として回動する。遮光部１２４は、当接部１２１の反対の方向に回動部１２３から延伸する。遮光部１２４は、当接部１２１に遊技球が当接していないとき、センサ部１１の発光素子１１２と受光素子１１３との間に位置し、発光素子１１２が発光した光を受光素子１１３が受光できないように遮断する。また、遮光部１２４は、遊技球が当接部１２１に当接して当接部１２１を押下することによって回動し、センサ部１１の発光素子１１２と受光素子１１３との間から移動し、発光素子１１２が発光した光を受光素子１１３が受光できるようにする。おもり部１２６は、おもり穴１２５におもり１３が嵌合されることにより当接部１２１よりも重くなり、遊技球が当接部１２１に当接していないときに所定の位置に戻り防止弁１２が位置するためのおもりとして機能する。
【００２３】
支持軸１４は、筐体支持軸穴１０３及び弁支持軸穴１２２を貫通するように配置され、戻り防止弁１２を回動可能に支持する。
【００２４】
（検出センサの動作）
図４（ａ）〜４（ｃ）は、遊技球が誘導通路５から遊技領域７に導出されるときの検出センサ６の動作を示す図である。図４（ａ）は遊技球が検出センサ６の戻り防止弁１２に当接する前の状態を示し、図４（ｂ）は遊技球が戻り防止弁１２に当接している状態を示し、図４（ｃ）は遊技球が戻り防止弁１２に当接した後の状態を示す。すなわち、図４（ａ）は遊技球１８と検出センサ６の第１の位置関係を示し、図４（ｂ）は第１の位置関係の次の位置関係である第２の位置関係を示し、図４（ｃ）は第１の位置関係の次の位置関係である第３の位置関係を示す。また、図４（ａ）〜４（ｃ）において、検出センサ６は、説明のために長手方向に一部が切断された部分切断面として示される。
【００２５】
一対のレール５０１及び５０２で形成された誘導通路５を上昇してきた遊技球１８が戻り防止弁１２に当接する前では、戻り防止弁１２は、おもり部１２６の重みにより、おもり部１２６が下方に位置し且つ当接部１２１が上方に位置するように位置する。このとき、戻り防止弁１２の遮光部１２４は、発光素子１１２と受光素子１１３との間に位置し、発光素子１１２が発光した光を受光素子１１３が受光できないように遮断する。次いで、遊技球１８が戻り防止弁１２の当接部１２１に当接し当接部１２１を押下すると、戻り防止弁１２が回動して、遊技球１８がレール５０１と当接部１２１との間を通過して遊技領域７に導出される。このとき、戻り防止弁１２の遮光部１２４は、センサ部１１の発光素子１１２と受光素子１１３との間から移動し、発光素子１１２が発光した光を受光素子１１３が受光できるようになる。そして、遊技球が戻り防止弁１２に当接した後に遊技領域７に導出されると、戻り防止弁１２は、おもり部１２６の重みにより回動して、当接部１２１が上方に位置する位置に戻る。このとき、遮光部１２４は、発光素子１１２と受光素子１１３との間に位置し、発光素子１１２が発光した光を再び遮断する。
【００２６】
検出センサ６の出力電圧は、図４（ａ）及び４（ｃ）に示すように、遊技球１８が当接部１２１に当接していないときは、戻り防止弁１２の遮光部１２４がセンサ部１１の発光素子１１２と受光素子１１３との間を遮断するので、ゼロである。図４（ｂ）に示すように、遊技球１８が当接部１２１に当接しているときは、戻り防止弁１２の遮光部１２４がセンサ部１１の発光素子１１２と受光素子１１３との間を遮断しないので、検出センサ６の出力電圧は、受光素子１１３の出力に応じた振幅を有する。すなわち、検出センサ６は、遊技球１８が検出センサ６に当接して遊技領域７に導出されるときに、遊技球１８が戻り防止弁１２に当接して戻り防止弁１２を押下することに応じて、遊技球１８が遊技領域７に導出されたことを示すパルス信号を出力する。
【００２７】
また、戻り防止弁１２は、遊技領域７に導出された遊技球１８が誘導通路５に戻ることを防止する機能を有する。図４（ｃ）において双方向矢印Ａで示される当接部１２１の上端とレール５０１との間の距離は、遊技球１８の直径よりも短い。また、図４（ｃ）において矢印Ｂで示される当接部１２１の下端は筐体１０と接している。このため、遊技領域７に導出された遊技球１８は、遊技領域７において障害釘に衝突して誘導通路５の方向に戻ってきた場合でも、誘導通路５に侵入することができない。すなわち、図４（ａ）及び（ｃ）では、戻り防止弁１２は、遊技球１８が導出される前及び遊技球１８が導出された後に遊技球１８が遊技領域７から誘導通路への侵入を防止する戻り防止位置に位置する。一方、図４（ｂ）では、戻り防止弁１２は、遊技球１８が誘導通路５から遊技領域７に導出されるときに遊技球１８を導出可能な導出位置に位置する。
【００２８】
（検出センサの特徴及び問題点）
検出センサ６は、構成素子が少なく且つ構造が簡明であるので、製造コストを抑えることができる。検出センサ６は、誘導通路５から導出された遊技球の数を計数するカウンタ装置のセンサとして使用できると共に、遊技球１８が誘導通路５に侵入することを防止できる。
【００２９】
しかしながら、検出センサ６は、遊技球１８が遊技領域７に導出された後、おもり部１２６の重みで戻り防止位置に戻るため、遊技球１８が戻り防止弁１２に当接したときの反動で、戻り防止弁１２が戻り防止位置と導出位置との間で振動するおそれがある。遊技球１８が導出されるときの反動で戻り防止弁１２が振動すると、１つの遊技球が導出されたのにもかかわらず、複数のパルス信号が検出センサ６から出力されることになる。
【００３０】
また、検出センサ６は、遊技領域７から誘導通路５の方向に戻ってきた遊技球１８が、戻り防止位置に位置する戻り防止弁１２に衝突した反動で戻り防止弁１２が回動することにより、パルス信号が検出センサ６から出力されるおそれがある。
【００３１】
さらに、図５（ａ）に示すように、釣り糸等の糸状材１９１の一端が接着された遊技球１８を発射して、糸状材１９１の一端が接着された遊技球１８を遊技領域７に滞在させる行為が行われることがある。このとき、糸状材１９１が戻り防止弁１２を押下することにより、戻り防止弁１２が導出位置に固定されている。糸状材１９１が戻り防止弁１２が導出位置に固定されるので、多くの遊技球１８を発射された場合でも、検出センサ６はパルス信号を出力せず、遊技機１の制御装置は、遊技領域７に導出される遊技球１８の数を計数することができない。計数されることなく遊技球１８が遊技領域７に導出されると、図５（ｂ）に示すように、磁石１９２により固定された遊技球１８により後続する遊技球１８を堰き止めることにより、入賞口装置８に遊技球１８を案内する案内路１９３が形成されるおそれがある。
【００３２】
そこで、本発明に係る検出装置は、検出センサ６の出力と制御回路との間に配置されるインタフェース回路を有する。このインタフェース回路は、戻り防止弁の回動に応じて検出センサからパルス信号が入力されたときに出力する信号の数を、実際に誘導通路から遊技領域に導出された遊技球の数と一致させる処理を実行する。
【００３３】
（第１実施形態に係る検出装置の構成）
図６は、検出センサ６を含む検出装置の回路ブロック図である。
【００３４】
検出装置２０は、検出センサ６と、検出センサ６からパルス信号が入力されるインタフェース回路２１とを有する。インタフェース回路２１は、導出信号及び異常信号を制御回路１００に出力する。インタフェース回路２１は、導出信号出力回路２２と、出力禁止回路２３と、異常検出回路２４と、反転素子２５とを有する。導出信号出力回路２２は、検出センサ６からパルス信号が入力されたことを示す入力検出信号と、信号の出力を禁止することを示す出力禁止信号が入力される。導出信号出力回路２２は、入力検出信号が入力される。また、導出信号出力回路２２は、出力禁止信号が入力されていないときに、遊技領域７に遊技球１８が導出されたことを示す導出信号を制御回路１００に導出信号出力端子３２を介して出力する。出力禁止回路２３は、禁止状態保持回路２６と、禁止解除指示回路２７とを有し、導出信号が出力されてから禁止時間が経過するまで、出力禁止信号を出力する。禁止状態保持回路２６は、インタフェース回路にパルス信号が入力されてから、禁止指示信号が入力されるまで、出力禁止信号を出力する。また、禁止状態保持回路２６は、出力禁止信号を出力しておらず且つ入力検出信号が入力されたときに禁止時間の計時開始を指示することを示す計時開始信号を出力する。禁止状態保持回路２６は、計時開始信号が入力されてから禁止時間が経過するまで、禁止指示信号を出力する。異常検出回路２４は、検出センサから、パルス信号が入力されている時間が異常検出時間を越えたときに、検出センサが異常状態であることを示す異常信号を出力する。異常信号は、異常信号出力端子３３を介して制御回路１００に入力される。反転素子２５は、検出センサ６から入力端子３１を介して入力された信号の反転信号を導出信号出力回路２２、異常検出回路２４及び禁止状態保持回路２６に出力する。
【００３５】
図７は、検出装置２０のより詳細な回路ブロック図である。
【００３６】
導出信号出力回路２２は、出力ベース抵抗素子２２１と、出力トランジスタ２２２と、出力負荷抵抗素子２２３とを有する。出力ベース抵抗素子２２１は、一端が反転素子２５の出力端子に接続され、他端が出力トランジスタ２２２のベースに接続される。出力トランジスタ２２２は、コレクタが禁止状態保持回路２６、導出信号出力端子３２及び出力負荷抵抗素子２２３の一端に接続され、エミッタが接地される。出力負荷抵抗素子２２３の他端は接地される。出力トランジスタ２２２は、入力検出信号／Ａ１の電圧がＬレベル（Ｇｎｄ）のときはベース電流が流れないのでオフし、入力検出信号／Ａ１の電圧がＨレベル（Ｖｃｃ）のときはベース電流が流れてオンする。
【００３７】
禁止状態保持回路２６は、フリップフロップ２６１と、禁止ベース抵抗素子２６２と、禁止トランジスタ２６３とを有する。フリップフロップ２６１は、データ端子Ｄが禁止解除指示回路２７に接続され、クロック端子ＣＬＫが反転素子２５の出力端子に接続される。フリップフロップ２６１のリセット端子／ＣＬＲは、禁止解除指示回路２７に接続され、出力禁止信号の出力を停止することを示す禁止解除指示信号が入力される。データ出力端子Ｑは、禁止ベース抵抗素子２６２の一端に接続される。反転データ出力端子／Ｑは、禁止解除指示回路２７に接続され、クロック端子ＣＬＫの電圧が立上り遷移することに応じて、インタフェース回路２１からの信号の出力を禁止する期間である禁止時間の計時開始を指示することを示す計時開始信号を出力する。禁止ベース抵抗素子２６２の他端は、禁止トランジスタ２６３のベースに接続される。禁止トランジスタ２６３は、コレクタが出力トランジスタ２２２のコレクタ、導出信号出力端子３２及び出力負荷抵抗素子２２３の一端に接続され、エミッタが接地される。禁止トランジスタ２６３は、フリップフロップ２６１の出力データ端子の電圧がＬレベルのときはベース電流が流れないのでオフする。また、禁止トランジスタ２６３は、フリップフロップ２６１の出力データ端子の電圧がＨレベルのとき、ベース電流が流れてオンする。禁止トランジスタ２６３がオンして禁止トランジスタ２６３のコレクタ電圧がＬレベルになると、検出センサ６の出力電圧Ａ１にかかわらず、導出信号出力端子３２の電圧Ｙ１はＬレベルになる。すなわち、禁止トランジスタ２６３は、オンすると、コレクタ電圧をＬレベルにして、導出信号出力端子３２からの導出信号の出力を禁止する出力禁止信号を導出信号出力回路２２に出力する。
【００３８】
禁止解除指示回路２７は、第１遅延ベース抵抗素子２７１と、第１遅延トランジスタ２７２と、第１遅延抵抗素子２７３と、第１遅延容量素子２７４と、第１定電圧源２７５と、第１遅延コンパレータ２７６とを有する。また、禁止解除指示回路２７は、指示ベース抵抗素子２７７と、指示トランジスタ２７８と、指示負荷抵抗素子２７９とを更に有する。第１遅延ベース抵抗素子２７１は、一端がフリップフロップ２６１の反転データ出力端子／Ｑに接続され、他端が第１遅延トランジスタ２７２のベースに接続される。第１遅延トランジスタ２７２は、コレクタが第１遅延抵抗素子２７３、第１遅延容量素子２７４及び第１遅延コンパレータ２７６の一方の入力端子に接続され、エミッタが接地される。第１遅延トランジスタ２７２は、フリップフロップ２６１の反転データ出力端子／Ｑの電圧がＬレベルのときはベース電流が流れないのでオフする。また、第１遅延トランジスタ２７２は、フリップフロップ２６１の反転データ出力端子／Ｑの電圧がＨレベルのとき、ベース電流が流れてオンする。第１遅延抵抗素子２７３及び第１遅延容量素子２７４の他端は電源電圧Ｖｃｃに接続される。第１遅延コンパレータ２７６は、他方の入力端子が第１定電圧源２７５に接続され、出力端子が指示ベース抵抗素子２７７の一端に接続される。第１遅延コンパレータ２７６の出力端子の電圧Ｖ２は、第１遅延トランジスタ２７２のコレクタに接続される一方の端子の電圧Ｖ１が、第１定電圧源２７５の電圧Ｖｓｌ１よりも小さいときに、Ｌレベルになる。第１遅延コンパレータ２７６の出力端子の電圧Ｖ２は、第１遅延トランジスタ２７２のコレクタに接続される一方の端子の電圧Ｖ１が、第１定電圧源２７５の電圧Ｖｓｌ１よりも大きいときに、Ｈレベルになる。指示ベース抵抗素子２７７の他端は、指示トランジスタ２７８のベースに接続される。指示トランジスタ２７８は、コレクタが指示負荷抵抗素子２７９の一端及びフリップフロップ２６１のリセット端子／ＣＬＲに接続され、エミッタが接地される。指示トランジスタ２７８は、第１遅延コンパレータ２７６の出力端子の電圧Ｖ２がＬレベルのときはベース電流が流れないのでオフする。また、指示トランジスタ２７８は、第１遅延コンパレータ２７６の出力端子の電圧Ｖ２がＨレベルのとき、ベース電流が流れてオンして、出力禁止信号の出力を停止することを示す禁止解除指示信号を禁止状態保持回路２６に出力する。指示負荷抵抗素子２７９の他端は、電源電圧Ｖｃｃに接続される。
【００３９】
異常検出回路２４は、第２遅延ベース抵抗素子２４１と、第２遅延トランジスタ２４２と、第２遅延抵抗素子２４３と、第２遅延容量素子２４４と、第２定電圧源２４５と、第２遅延コンパレータ２４６とを有する。また、異常検出回路２４は、異常ベース抵抗素子２４７と、異常トランジスタ２４８と、異常負荷抵抗素子２４９とを更に有する。第２遅延ベース抵抗素子２４１は、一端が反転素子２５の出力端子に接続され、他端が第２遅延トランジスタ２４２のベースに接続される。第２遅延トランジスタ２４２は、コレクタが第２遅延抵抗素子２４３、第２遅延容量素子２４４及び第２遅延コンパレータ２４６の一方の入力端子に接続され、エミッタが接地される。第２遅延トランジスタ２４２は、反転素子２５の出力端子の電圧がＬレベルのときはベース電流が流れないのでオフする。また、第１遅延トランジスタ２７２は、反転素子２５の出力端子の電圧がＨレベルのとき、ベース電流が流れてオンする。第２遅延抵抗素子２４３及び第２遅延容量素子２４４の他端は電源電圧Ｖｃｃに接続される。第２遅延コンパレータ２４６は、他方の入力端子が第２定電圧源２４５に接続され、出力端子が異常ベース抵抗素子２４７の一端に接続される。第２遅延コンパレータ２４６の出力端子の電圧は、第２遅延トランジスタ２４２のコレクタに接続される一方の端子の電圧Ｖ３が、第２定電圧源２４５の電圧Ｖｓｌ２よりも小さいときに、Ｌレベルになる。第２遅延コンパレータ２４６の出力端子の電圧は、第２遅延トランジスタ２４２のコレクタに接続される一方の端子の電圧が、第２定電圧源２４５の電圧Ｖｓｌ２よりも大きいときに、Ｈレベルになる。異常ベース抵抗素子２４７の他端は、異常トランジスタ２４８のベースに接続される。異常トランジスタ２４８は、コレクタが異常負荷抵抗素子２４９の一端及び異常信号出力端子３３に接続され、エミッタが接地される。異常トランジスタ２４８は、第２遅延コンパレータ２４６の出力端子の電圧がＬレベルのときはベース電流が流れないのでオフする。また、異常トランジスタ２４８は、第２遅延コンパレータ２４６の出力端子の電圧がＨレベルのとき、ベース電流が流れてオンする。異常負荷抵抗素子２４９の他端は、電源電圧Ｖｃｃに接続される。
【００４０】
（第１実施形態に係る検出装置の動作）
図８は、検出装置２０の動作を示すタイミングチャートである。図８において、期間（ａ）は、１つの遊技球が誘導通路５から遊技領域７に導出されるときに、遊技球が戻り防止弁１２に当接して遊技領域７に導出される通常の動作を示す。また、期間（ｂ）は、１つの遊技球が戻り防止弁１２に当接して遊技領域７に導出された後に戻り防止弁１２が振動して検出センサ６から２つのパルス信号が続けて出力された場合を示す。また、期間（ｃ）は、糸状材１９１の一端が接着された遊技球１８を遊技領域７に滞在させる行為により戻り防止弁１２が導出位置に固定された場合を示す。図８において、波形８０１は検出センサ６からインタフェース回路２１に入力される信号Ａ１の波形を示し、波形８０２は反転素子２５から出力される信号／Ａ１の波形を示し、波形８０３は第２遅延トランジスタ２４２のコレクタ電圧Ｖ３の波形を示す。波形８０４はフリップフロップ２６１のデータ端子Ｑの出力端子の電圧の波形を示し、波形８０５はフリップフロップ２６１の反転データ端子／Ｑの出力端子の電圧の波形を示し、波形８０６は第１遅延トランジスタ２７２のコレクタ電圧の波形Ｖ１を示す。波形８０７は第１遅延コンパレータ２７６の出力端子の電圧Ｖ２の波形を示し、波形８０８は導出信号出力端子３２の電圧Ｙ１の波形を示し、波形８０９は異常信号出力端子３３の電圧Ｅ１の波形を示す。
【００４１】
まず、１つの遊技球が戻り防止弁１２に当接して遊技領域７に導出される通常の動作である期間（ａ）について説明する。矢印Ａで示すように、遊技球が誘導通路５から遊技領域７に導出されるときに検出センサ６の戻り防止弁１２に当接して戻り防止弁１２が回動したことに応じて、パルス信号が検出センサ６から反転素子２５に入力される。次いで、パルス信号が入力された反転素子２５は、パルス信号の反転信号を導出信号出力回路２２の出力ベース抵抗素子２２１の一端及び禁止状態保持回路２６のフリップフロップ２６１のクロック端子ＣＬＫに出力する。導出信号出力回路２２の出力トランジスタ２２２は、出力ベース抵抗素子２２１を介してパルス信号の反転信号が入力されると、ベース電流が流れなくなりオフする。そして、矢印Ｂで示すように、出力トランジスタ２２２がオフすることに応じて、出力トランジスタ２２２のコレクタ電圧に対応するパルス信号である導出信号が導出信号出力端子３２を介して制御回路１００に出力される。
【００４２】
また、矢印Ｃで示されるパルス信号の反転信号の立上りエッジに応じて、フリップフロップ２６１のデータ出力端子Ｑの電圧は、Ｈレベルになる。データ出力端子Ｑの電圧がＨレベルになると、禁止ベース抵抗素子２６２を介してベース電流が流れることにより、禁止トランジスタ２６３がオンする。禁止トランジスタ２６３がオンすると、導出信号出力端子の電圧Ｙ１は、出力トランジスタ２２２がオフしているときも、矢印Ｄで示されるようにＬレベルに維持される。出力禁止回路２３は、矢印Ｃで示されるパルス信号の反転信号の立上りエッジに応じて、導出信号出力回路２２への出力禁止信号の出力を開始する。導出信号出力回路２２は、出力禁止信号が入力されている間、検出センサ６からパルス信号が入力されているか否かにかかわらず、出力電圧をＬレベルに維持する。
【００４３】
また、矢印Ｃで示されるパルス信号の反転信号の立上りエッジに応じて、フリップフロップ２６１の反転データ出力端子／Ｑの電圧は、Ｌレベルになる。データ出力端子Ｑの電圧Ｌレベルになると、ベース電流が流れなくなり第１遅延トランジスタ２７２がオフする。第１遅延トランジスタ２７２がオフすると、第１遅延トランジスタ２７２のコレクタ電圧Ｖ１は、第１遅延抵抗素子２７３の抵抗値Ｒｘ１と、第１遅延容量素子２７４の容量値Ｃｘ１とにより規定される時定数τ１に応じて立上り遷移する。第１遅延トランジスタ２７２のコレクタ電圧Ｖ１が第１定電圧源２７５の電圧Ｖｓｌ１よりも大きくなると、矢印Ｅで示すように、第１遅延コンパレータ２７６の出力端子の電圧Ｖ２はＨレベルになる。第１遅延コンパレータ２７６の出力端子の電圧Ｖ２がＨレベルになると、指示ベース抵抗素子２７７を介してベース電流が流れることにより、指示トランジスタ２７８がオンする。指示トランジスタ２７８がオンすると、フリップフロップ２６１は、リセット端子／ＣＬＲの電圧がＬレベルになり、データ出力端子Ｑの電圧がＬレベルになると共に、反転データ出力端子／Ｑの電圧がＨレベルになる。フリップフロップ２６１のデータ出力端子Ｑの電圧がＬレベルになると、ベース電流が流れなくなり禁止トランジスタ２６３はオフし、導出信号出力端子３２の電圧Ｙ１は、出力トランジスタ２２２のオンオフに応じて変動するようになる。また、フリップフロップ２６１の反転データ出力端子／Ｑの電圧がＨレベルになると、ベース電流が流れることにより第１遅延トランジスタ２７２はオンし、第１遅延トランジスタ２７２のコレクタ電圧Ｖ１は、Ｌレベルになる。第１遅延トランジスタ２７２のコレクタ電圧Ｖ１がＬレベルになると、第１遅延コンパレータ２７６の出力端子の電圧Ｖ２はＬレベルになる。
【００４４】
期間（ａ）では、矢印Ａで示される１つのパルス信号がインタフェース回路２１に入力されることに応じて、矢印Ｂで示されるパルス信号が導出信号出力端子３２から導出信号として制御回路１００に出力される。また、双方向矢印Ｆで示されるフリップフロップ２６１のデータ出力端子Ｑの電圧がＨレベルである期間には、禁止トランジスタ２６３がオンしているので、導出信号出力端子の電圧Ｙ１は、Ｌレベルに維持される。すなわち、双方向矢印Ｆで示される期間は、パルス信号がインタフェース回路２１に入力されるか否かにかかわらず、導出信号出力端子３２の電圧Ｙ１がＬレベルに維持される禁止時間である。禁止時間は、第１遅延抵抗素子２７３の抵抗値Ｒｘ１と、第１遅延容量素子２７４の容量値Ｃｘ１により規定される時定数τ１に応じて変動する時間なので、抵抗値Ｒｘ１及び容量値Ｃｘ１に基づいて決定することができる。例えば、遊技球の最小の発射間隔である０．６秒よりも若干短い０．５秒に禁止時間がなるように、抵抗値Ｒｘ１及び容量値Ｃｘ１の値を決定することができる。
【００４５】
次に、１つの遊技球が戻り防止弁１２に当接して遊技領域７に導出された後に戻り防止弁１２が振動して検出センサ６から２つのパルス信号が続けて出力される期間（ｂ）について説明する。矢印Ｇで示すように、遊技球が誘導通路５から遊技領域７に導出されるときに検出センサ６の戻り防止弁１２に当接して戻り防止弁１２が回動したことに応じてパルス信号が検出センサ６から反転素子２５に入力される。禁止トランジスタ２６３はオフしているので、矢印Ｈで示すように、検出センサ６からパルス信号が入力されることに応じてパルス信号である導出信号が導出信号出力端子３２から出力される。
【００４６】
矢印Ｉで示すように、遊技領域７に導出された後に戻り防止弁１２が振動して検出センサ６から２つ目のパルス信号が入力されるとき、双方向矢印Ｊで示されるように、フリップフロップ２６１のデータ出力端子Ｑの電圧がＨレベルである禁止時間である。禁止時間内に２つ目のパルス信号が入力されているので、検出センサ６からパルス信号が入力されているのにもかかわらず、導出信号出力端子の電圧Ｙ１はＬレベルに維持される。
【００４７】
期間（ｂ）では、１つの遊技球が戻り防止弁１２に当接して遊技領域７に導出された後に戻り防止弁１２が振動して検出センサ６から２つのパルス信号が続けて出力されるものの、２つ目のパルス信号は禁止時間に入力されている。２つ目のパルス信号は禁止時間に入力されているので、インタフェース回路２１は、２つ目のパルス信号に対応する導出信号を導出信号出力端子３２から制御回路１００に出力しない。
【００４８】
次に、戻り防止弁１２が導出位置に固定されている期間（ｃ）について説明する。戻り防止弁１２が導出位置に固定されると、検出センサ６の出力信号Ａ１の電圧は、矢印Ｋで示すように、Ｈレベルに維持される。検出センサ６の出力信号の電圧Ａ１がＨレベルに維持されると反転素子２５の出力端子の電圧／Ａ１は、Ｌレベルに維持される。反転素子２５の出力端子の電圧／Ａ１がＬレベルに維持されることにより、ベース電流が流れなくなり第２遅延トランジスタ２４２はオフする。第２遅延トランジスタ２４２がオフすると、第２遅延トランジスタ２４２のコレクタ電圧Ｖ２は、第２遅延抵抗素子２４３の抵抗値Ｒｘ２と、第２遅延容量素子２４４の容量値Ｃｘ２とにより規定される時定数τ２に応じて立上り遷移する。第２遅延トランジスタ２４２のコレクタ電圧Ｖ３が第２定電圧源２４５の電圧Ｖｓｌ２よりも大きくなると、第２遅延コンパレータ２４６の出力端子の電圧はＨレベルになる。第２遅延コンパレータ２４６の出力端子の電圧がＨレベルになると、異常ベース抵抗素子２４７を介してベース電流が流れることにより、異常トランジスタ２４８がオンする。異常トランジスタ２４８がオンすると、異常トランジスタ２４８のコレクタに接続された異常信号出力端子３３の電圧Ｅ１は、検出センサ６が異常状態であることを示す異常信号であるＬレベルになる。
【００４９】
期間（ｃ）では、異常検出回路２４は、戻り防止弁１２が導出位置に固定されて、パルス信号が検出センサから入力されている時間が異常検出時間を越えたときに、検出センサ６が異常状態であることを示す異常信号を出力する。これにより、インタフェース回路２１は、導出位置に回動してから時定数τ２に応じて決定される異常検出時間が経過するまでに戻り防止弁１２が戻り防止位置に戻らなかったときに、検出センサ６が異常状態であることを示す異常信号を出力する。
【００５０】
第１実施形態に係るインタフェース回路は、導出信号が出力されてから禁止時間が経過するまで、遊技領域に遊技球が導出されたことを示す導出信号を出力しない。したがって、遊技球が遊技領域に導出されたときの反動又は遊技領域に導出された遊技球が戻り防止弁に衝突したときの反動等により検出センサの戻り防止弁が振幅して、検出センサからパルス信号が入力された場合に制御回路に導出信号を出力しない。このため、第１実施形態に係るインタフェース回路は、戻り防止弁の回動に応じて検出センサから入力されたときに出力するパルス信号の数を、実際に誘導通路から遊技領域に導出された遊技球の数と一致させる処理を実行することができる。また、第１実施形態に係るインタフェース回路は、戻り防止弁が戻り防止位置から導出位置に回動してから異常検出時間が経過するまでに戻り防止位置に戻らなかったときに、検出センサが異常状態であることを示す異常信号を制御回路に出力する。このため、異常信号が入力された制御回路は、糸状材が戻り防止弁を押下することにより、戻り防止弁が導出位置に固定されたときに、検出センサの異常を検知することができる。
【００５１】
（第２実施形態に係る検出装置の構成）
次に、第２実施形態に係る検出装置について説明する。第２実施形態に係る検出装置では、出力禁止回路及び異常検出回路の一部の回路がタイマ回路で形成されるので、第１実施形態に係るンタフェース回路よりも少ない構成要素で形成可能である。
図９は第２実施形態に係る検出装置の回路ブロック図であり、図１０は第２実施形態に係る検出装置が有するタイマ回路の内部回路ブロック図である。
【００５２】
検出装置４０は、インタフェース回路２１の代わりにインタフェース回路４１が配置されることが第１実施形態に係る検出装置２０と相違する。インタフェース回路４１は、導出信号出力回路４２と、出力禁止回路４３と、異常検出回路４４と、反転素子２５とを有する。検出センサ６及び反転素子２５の構成及び機能は、図１〜８を参照して説明したので、ここでは検出センサ６及び反転素子２５の構成及び機能についての詳細な説明は省略する。
【００５３】
導出信号出力回路４２は、出力禁止回路４３の出力電圧Ｑが入力される反転素子４２１と、検出センサ６の出力電圧Ａ１と反転素子４２１の出力電圧とが入力されるＡＮＤ素子４２２とを有する。導出信号出力回路４２は、出力禁止回路４３から出力禁止信号が入力されていないときに検出センサ６からパルス信号が入力されたことに応じて、遊技領域７に遊技球が導出されたことを示す導出信号を出力する。
【００５４】
出力禁止回路４３は、第１タイマ回路４３１と、第１遅延容量素子４３２と、第１遅延抵抗素子４３３と、第１容量素子４３４とを有し、第１実施形態に係る出力禁止回路２３と同様な機能を有する。
【００５５】
第１タイマ回路４３１は、第１コンパレータ５１と、第２コンパレータ５２と、セットリセットフリップフロップ５３と、反転素子５４と、トランジスタ５５と、抵抗値が互いに等しい第１抵抗素子５６〜第３抵抗素子５８とを有する。一例では、第１抵抗素子５６〜第３抵抗素子５８の抵抗値は１００ｋΩである。第１コンパレータ５１の出力電圧は、トリガ端子Ｔｒｉｇｇｅｒから入力される電圧が電源電圧Ｖｃｃの１／３よりも大きいときにＨレベルになる。第２コンパレータ５２の出力電圧は、しきい値端子Ｔｈｒｅｓｈから入力される電圧が電源電圧Ｖｃｃの２／３よりも大きいときにＨレベルになる。セットリセットフリップフロップ５３の出力端子／Ｑの電圧は、第１コンパレータ５１からリセット端子ＲにＨレベルの電圧が入力されたときにＨレベルになり、第２コンパレータ５２からセット端子ＳにＨレベルの電圧が入力されたときにＬレベルになる。反転素子５４は、出力端子Ｏｕｔｐｕｔの電圧の反転電圧Ｑを出力端子Ｏｕｔｐｕｔから出力する。トランジスタ５５は、セットリセットフリップフロップ５３の出力端子／Ｑの電圧がＨレベルのときオンし、セットリセットフリップフロップ５３の出力端子／Ｑの電圧がＬレベルのときオフする。
【００５６】
第１遅延容量素子４３２、第１遅延抵抗素子４３３及び第１容量素子４３４は、第１タイマ回路４３１のトリガ端子Ｔｒｉｇｇｅｒの電圧がＨレベルに遷移したときに、放電端子Ｄｉｓｃｈの電圧Ｖ２を、時定数τ３に応じて立上り遷移する。時定数τ３は、禁止時間を規定する時定数である。第１タイマ回路４３１の放電端子Ｄｉｓｃｈの電圧Ｖ２は、電源電圧Ｖｃｃの２／３よりも大きくなったときにトランジスタ５５がオンしＬレベルになる。
【００５７】
異常検出回路４４は、第２タイマ回路４４１と、第２遅延容量素子４４２と、第２遅延抵抗素子４４３と、第２容量素子４４４と、ＯＲ素子４４５とを有し、第１実施形態に係る異常検出回路２４と同様な機能を有する。第２タイマ回路４４１は、第１タイマ回路４３１と同様の構成及び機能を有するので、ここでは詳細な説明は省略する。
【００５８】
第２遅延容量素子４４２、第２遅延抵抗素子４４３及び第２容量素子４４４は、第２タイマ回路４４１のトリガ端子Ｔｒｉｇｇｅｒの電圧がＨレベルに遷移したときに、放電端子Ｄｉｓｃｈの電圧Ｖ１１を、時定数τ４に応じて立上り遷移する。時定数τ４は、異常検出時間を規定する時定数である。第２タイマ回路４４１の放電端子Ｄｉｓｃｈの電圧Ｖ１１は、電源電圧Ｖｃｃの２／３よりも大きくなったときにトランジスタ５５がオンしＬレベルになる。
【００５９】
ＯＲ素子４４５は、反転素子２５の出力電圧／Ａ１と第２タイマ回路４４１の出力端子Ｏｕｔｐｕｔの電圧Ｖ１２との双方がＬレベルのときにＬレベルになり、異常信号を出力する。
【００６０】
（第２実施形態に係る検出装置の動作）
図１１は、検出装置４０の動作を示すタイミングチャートである。図１１において、期間（ａ）〜（ｃ）のそれぞれは、図８の期間（ａ）〜（ｃ）と同様である。図１１において、波形１２０１は検出センサ６からインタフェース回路４１に入力される信号Ａ１の波形を示し、波形１２０２は反転素子２５から出力される信号／Ａ１の波形を示す。波形１２０３は第２タイマ回路４４１の放電端子Ｄｉｓｃｈの電圧Ｖ１１の波形を示し、波形１２０４は第２タイマ回路４４１の出力端子Ｏｕｔｐｕｔの電圧Ｖ１２の波形を示し、波形１２０５は異常信号出力端子３３の電圧Ｅ１の波形を示す。波形１２０６は第１タイマ回路４３１の放電端子Ｄｉｓｃｈの電圧Ｖ２を示し、波形１２０７は第２タイマ回路４４１の出力端子Ｏｕｔｐｕｔの電圧Ｑの波形を示し、波形１２０８は導出信号出力端子３２の電圧Ｙ１の波形を示す。
【００６１】
期間（ａ）では、矢印Ａで示される１つのパルス信号がインタフェース回路４１に入力されることに応じて、矢印Ｂで示されるパルス信号が導出信号として、導出信号出力端子３２から制御回路１００に出力される。また、双方向矢印Ｃで示される第２タイマ回路４４１の出力端子Ｏｕｔｐｕｔの電圧ＱがＨレベルである期間には、ＡＮＤ素子４２２の一方の入力端子の電圧がＬレベルであるので、導出信号出力端子の電圧Ｙ１は、Ｌレベルに維持される。
【００６２】
期間（ｂ）では、１つの遊技球が戻り防止弁１２に当接して遊技領域７に導出された後に戻り防止弁１２が振動して検出センサ６から２つのパルス信号が続けて出力される。しかしながら、矢印Ｄで示される２つ目のパルス信号は、双方向矢印Ｅで示される禁止時間に入力されている。２つ目のパルス信号は禁止時間に入力されているので、インタフェース回路４１は、２つ目のパルス信号に対応する導出信号を導出信号出力端子３２から制御回路１００に出力しない。
【００６３】
期間（ｃ）では、インタフェース回路４１は、導出位置に回動してから時定数τ４に応じて決定される異常検出時間が経過するまでに戻り防止弁１２が戻り防止位置に戻らなかったときに、矢印Ｆで示すように異常信号を出力する。
【００６４】
第２実施形態に係るンタフェース回路は、出力禁止回路及び異常検出回路の一部の回路がタイマ回路により形成されるので、第１実施形態に係るンタフェース回路よりも少ない構成要素で形成可能である。
【００６５】
（第３実施形態に係る検出装置の構成）
次に、第３実施形態に係る検出装置について説明する。第３実施形態に係る検出装置は、禁止状態保持回路がフリップフロップを有さず、禁止状態保持回路が抵抗素子とバイポーラトランジスタで形成されるので、第１実施形態よりも使用するＩＣの数を減らすことができる。
図１３は、第３実施形態に係る検出装置６０の回路ブロック図である。
【００６６】
検出装置６０は、インタフェース回路２１の代わりにインタフェース回路６１が配置されることが第１実施形態に係る検出装置２０と相違する。インタフェース回路６１は、導出信号出力回路６２と、出力禁止回路６３と、異常検出回路２４と、反転素子２５とを有する。検出センサ６、異常検出回路２４及び反転素子２５の構成及び機能は、図１〜８を参照して説明したので、ここでは検出センサ６、異常検出回路２４及び反転素子２５の構成及び機能についての詳細な説明は省略する。
【００６７】
導出信号出力回路６２は、検出センサ６の出力電圧Ａ１と出力禁止回路６３の出力電圧／Ｑとが入力されるＡＮＤ素子６２１を有する。導出信号出力回路６２は、出力禁止回路４３の出力電圧／ＱがＨレベルのときに検出センサ６からパルス信号が入力されたことに応じて、遊技領域７に遊技球が導出されたことを示す導出信号を出力する。
【００６８】
出力禁止回路６３は、遅延素子６４と、入力ベース抵抗６５と、禁止状態保持回路６６と、禁止解除指示回路６７とを有し、導出信号が出力されてから禁止時間が経過するまで、出力禁止信号を出力する。遅延素子６４は、検出センサ６から入力されるパルス信号を、検出センサ６から入力されるパルス信号の信号幅と同程度の時間遅延させる。禁止解除指示回路６７は、指示負荷抵抗素子２７９を有さないこと以外は、第１実施形態に係る禁止解除指示回路２７と同様なので、詳細な説明は省略する。
【００６９】
禁止状態保持回路６６は、第１禁止抵抗素子６６１と、第２禁止抵抗素子６６２と、第１禁止トランジスタ６６３と、第３禁止抵抗素子６６４と、第４禁止抵抗素子６６５と、第２禁止トランジスタ６６６とを有する。禁止状態保持回路６６は、禁止状態保持回路２６の機能と同様な機能を有する。禁止状態保持回路６６では、遅延素子６４で遅延されたパルス信号が入力されると、ベース電流が流れて第１禁止トランジスタ６６３がオンして、第１禁止トランジスタ６６３のコレクタ電圧／ＱはＬレベルになる。第１禁止トランジスタ６６３のコレクタ電圧／ＱがＬレベルになると、ベース電流が流れて第２禁止トランジスタ６６６はオンして、第１禁止抵抗素子６６１を介してベース電流が流れ続けるので、第１禁止トランジスタ６６３はオンし続ける。第１遅延抵抗素子２７３の抵抗値Ｒｘ１と、第１遅延容量素子２７４の容量値Ｃｘ１により規定される時定数τ１により決定される禁止時間が経過して、指示トランジスタ２７８がオンすると、ベース電流が流れなくなり第１禁止トランジスタ６６３がオフする。
【００７０】
出力禁止回路６３は、遊技球が戻り防止弁１２に当接することに応じて検出センサ６からパルス信号が入力されると、遅延素子６４で規定される遅延時間の後から禁止時間が経過するまで、第１禁止トランジスタ６６３のコレクタ電圧／ＱはＬレベルに維持する。すなわち、出力禁止回路６３は、遅延素子６４で規定される遅延時間の後から禁止時間が経過するまで、導出信号出力端子３２からの導出信号の出力を禁止する出力禁止信号を導出信号出力回路２２に出力する。導出信号出力回路６２は、出力禁止信号が入力されていないときに検出センサ６からパルス信号が入力されることに応じて、パルス信号である導出信号を、導出信号出力端子３２を介して制御回路１００に出力する。
【００７１】
第３実施形態に係る検出装置は、近似状態保持回路が抵抗素子とバイポーラトランジスタで形成されるので、第１実施形態よりも使用するＩＣの数を減らすことができる。
【００７２】
（実施形態に係る検出装置の変形例）
検出センサ６は、戻り防止弁１２と支持軸１４とは別個の部材であるが、戻り防止弁と戻り防止弁を回転可能に支持する支持軸は、一体の部材として形成されてもよい。また、検出センサ６のセンサ部１１は、発光素子１１２と受光素子１１３とを有するが、近接センサ等の戻り防止弁１２の回動を検出可能な他のセンサを採用してもよい。
【００７３】
また、説明された実施形態では、インタフェース回路のスイッチは、バイポーラトランジスタで形成されるが、バイポーラトランジスタの代わりにＭＯＳトランジスタを採用してもよい。
【符号の説明】
【００７４】
１    遊技機
６    検出センサ
２０、４０、６０    検出装置
２１、４１、６１    インタフェース回路
２２、４２、６２    導出信号出力回路
２３、４３、６３    出力禁止回路
２４、４４    異常検出回路
２６、６６    禁止状態保持回路
２７、６７    禁止解除指示回路
【図１】
0006354597.tif 000002
【図２】
0006354597.tif 000003
【図３】
0006354597.tif 000004
【図４】
0006354597.tif 000005
【図５】
0006354597.tif 000006
【図６】
0006354597.tif 000007
【図７】
0006354597.tif 000008
【図８】
0006354597.tif 000009
【図９】
0006354597.tif 000010
【図１０】
0006354597.tif 000011
【図１１】
0006354597.tif 000012
【図１２】
0006354597.tif 000013